(57)【要約】【課題】所望の開口形状を得ることができる開口量調整装置を提供する。【解決手段】開口量調整装置１００は、第１開口４２及び第１カム溝４１を備える第１開口部材４０と、少なくとも一部が互いに重なり合うように配置されて、第１開口４２に対向する開口３３を形成する複数の絞り羽根３０とを備え、複数の絞り羽根３０は、第１絞り羽根と、前記第１絞り羽根に少なくとも一部が対向する第２絞り羽根とを少なくとも備え、前記第１絞り羽根は、第１カム溝４１に沿って移動する第１軸３２と、第１開口部材４０に対して相対的に移動可能な第２軸３１とを備え、前記第２絞り羽根は、第２軸３１の移動を規制する第２カム溝３４を備える。【選択図】図３
2017167305.tif 000002
【特許請求の範囲】
【請求項１】
第１開口及び第１カム溝を備える第１開口部材と、
少なくとも一部が互いに重なり合うように配置されて、前記第１開口に対向する開口を形成する複数の絞り羽根と、を備え、
前記複数の絞り羽根は、第１絞り羽根と、前記第１絞り羽根に少なくとも一部が対向する第２絞り羽根と、を少なくとも備え、
前記第１絞り羽根は、
前記第１カム溝に沿って移動する第１軸と、
前記第１開口部材に対して相対的に移動可能な第２軸と、を備え、
前記第２絞り羽根は、
前記第２軸の移動を規制する第２カム溝を備える、
開口量調整装置。
【請求項２】
請求項１に記載の開口量調整装置であって、
第２開口が形成され、前記第１開口部材に対して相対的に回転可能な第２開口部材を備え、
前記第２軸は、前記第２開口部材に保持されており、前記第２開口部材の前記第１開口部材に対する相対的な回転に伴って前記第１開口部材に対して相対的に移動可能である、
開口量調整装置。
【請求項３】
請求項１に記載の開口量調整装置であって、
第２開口が形成され、前記第１開口部材に対して相対的に回転可能な第２開口部材を備え、
前記第１絞り羽根は、前記第２開口部材に保持される第３軸を備えており、
前記第３軸は、前記第２開口部材の前記第１開口部材に対する相対的な回転に伴って前記第１開口部材に対して相対的に移動可能である、
開口量調整装置。
【請求項４】
請求項１から請求項３までのいずれか１項に記載の開口量調整装置であって、
前記第２カム溝と前記第２軸との隙間は、前記第１カム溝と前記第１軸との隙間より大きい、
開口量調整装置。
【請求項５】
請求項１から請求項４までのいずれか１項に記載の開口量調整装置を備えるレンズ鏡筒。
【請求項６】
請求項１から請求項４までのいずれか１項に記載の開口量調整装置を備える光学機器。
【発明の詳細な説明】
【技術分野】
【０００１】
本発明は、開口量調整装置、レンズ鏡筒及び光学機器に関する。
【背景技術】
【０００２】
カメラ等の光学機器には、開口量調整装置としての絞り装置が用いられている（例えば、特許文献１参照）。
従来の絞り装置では、各部品の製造誤差、作動に必要なガタ等の影響により所望の開口形状が得られない場合があった。
【先行技術文献】
【特許文献】
【０００３】
【特許文献１】特開２００６−３３７９４７号公報
【発明の概要】
【０００４】
本発明の一実施形態は、第１開口及び第１カム溝を備える第１開口部材と、少なくとも一部が互いに重なり合うように配置されて、前記第１開口に対向する開口を形成する複数の絞り羽根とを備え、前記複数の絞り羽根は、第１絞り羽根と、前記第１絞り羽根に少なくとも一部が対向する第２絞り羽根と、を少なくとも備え、前記第１絞り羽根は、前記第１カム溝に沿って移動する第１軸と、前記第１開口部材に対して相対的に移動可能な第２軸とを備え、前記第２絞り羽根は、前記第２軸の移動を規制する第２カム溝を備える開口量調整装置である。
また、本発明の一実施形態は、上記開口量調整装置を備えるレンズ鏡筒である。
また、本発明の一実施形態は、上記開口量調整装置を備える光学装置である。
【図面の簡単な説明】
【０００５】
【図１】第１実施形態の絞り装置１００を備えたレンズ鏡筒２００及びレンズ鏡筒２００が装着されたカメラ３００の概略図である。
【図２】第１実施形態の絞り装置１００を組み立てた状態の斜視図である。
【図３】絞り装置１００の分解斜視図である。
【図４】絞り羽根３０の構成を説明する図である。
【図５】絞り羽根３０の開閉状態を説明する図である。
【図６】第２実施形態における絞り羽根１３０の構成を説明する図である。
【図７】第１変形形態における絞り羽根２３０の開閉状態を説明する図である。
【図８】第２変形形態における絞り羽根３３０の開閉状態を説明する図である。
【発明を実施するための形態】
【０００６】
（第１実施形態）
図１は、第１実施形態の絞り装置１００を備えたレンズ鏡筒２００及びレンズ鏡筒２００が装着されたカメラ３００の概略図である。図２は、第１実施形態の絞り装置１００を組み立てた状態の斜視図である。図３は、第１実施形態の絞り装置１００の分解斜視図である。
なお、図１を含む各面には、必要に応じてＸＹＺの交差座標系を設けた。この座標系では、撮影者が光軸Ｌ１を水平として横長の画像を撮影する場合のカメラ位置において、撮影者から見て左右（水平）方向をＸ方向とし、上下（垂直）方向をＹ方向とし、前後（光軸Ｌ１）方向をＺ方向とする（図中の矢印は、各座標軸のプラス方向を示す）。
【０００７】
図１に示すように、レンズ鏡筒２００は、レンズ２０１と、レンズ２０１の絞り径を調整する絞り装置（開口量調整装置）１００と、を備えている。絞り装置１００の開口３３は、設定された絞り値に応じた絞り径となるように、制御部７０（後述）により制御される。レンズ鏡筒２００は、カメラ３００に対して着脱可能に構成されている。また、カメラ３００は、カメラボディ３０１と、被写体の光学像を電気信号に変換する撮像部３０２と、を備えている。本実施形態のカメラ３００は、レンズ交換可能なデジタル一眼レフカメラである。
【０００８】
図２及び図３に示すように、絞り装置１００は、プレス板１０と、回転部材（第２開口部材）２０と、複数の絞り羽根３０と、カム部材（第１開口部材）４０と、を備えている。このうち、プレス板１０、回転部材２０及びカム部材４０は、光軸Ｌ１に沿ってＺマイナス方向に順に配置されている。
【０００９】
プレス板１０は、円環状の部材であり、中央に開口部１１が形成されている。プレス板１０は、Ｚプラス側にステッピングモータ５０が取り付けられている。ステッピングモータ５０の回転軸は、ピニオンギア５１を備えている。ピニオンギア５１は、絞り装置１００を組み立てた状態において、プレス板１０に設けられた孔１２を貫通してＺマイナス側に突出する。
【００１０】
プレス板１０のＺプラス側には、フォトインタラプタ（以下、「ＰＩ」ともいう）６０が取り付けられている。プレス板１０において、ＰＩ６０が取り付けられる位置には、遮光板用スリット１３が設けられている。遮光板用スリット１３は、ＰＩ６０の検出部（不図示）の間を、回転部材２０から延びる遮光板２３（後述）が通過できるようにするための溝である。ステッピングモータ５０及びＰＩ６０は、ＦＰＣ（不図示）を介して図１に示す制御部７０に接続されている。ステッピングモータ５０及びＰＩ６０と制御部７０との間では、信号の送受信が行われる。また、ステッピングモータ５０及びＰＩ６０には、制御部７０から電力が供給される。
【００１１】
プレス板１０には、テンション測定用スリット１４が設けられている。テンション測定用スリット１４は、回転部材２０に設けられた突起２４が挿入される溝である。テンション測定用スリット１４に挿入された突起２４に加わるテンションは、プレス板１０のＺプラス側に設けられたテンションゲージ（不図示）により測定される。また、プレス板１０の外縁における複数個所には、切り欠き１５が設けられている。
【００１２】
回転部材２０は、円環状の部材であり、中央に開口部１１と嵌め合わされる円筒部（第２開口）２１が設けられている。回転部材２０の外径は、プレス板１０及びカム部材４０より小さい。回転部材２０の外縁には、セグメントギア２５が設けられている。セグメントギア２５は、絞り装置１００を組み立てた状態において、ステッピングモータ５０の回転軸に取り付けられたピニオンギア５１と噛み合う。
【００１３】
ステッピングモータ５０が制御部７０によりパルス駆動されると、ピニオンギア５１と噛み合うセグメントギア２５が回転する。回転部材２０は、セグメントギア２５が回転することにより、光軸Ｌ１を中心としてプレス板１０及びカム部材４０（後述）に対して相対的に回転する。
回転部材２０の内径側において、上述した円筒部２１の一部は、プレス板１０側（Ｚプラス側）に突出している。円筒部２１の外径は、プレス板１０の開口部１１の内径と略同径である。絞り装置１００が組み立てられた状態において、円筒部２１は、プレス板１０の開口部１１に回転可能に嵌め込まれる。
【００１４】
回転部材２０の外周側には、プレス板１０側（Ｚプラス側）に延びる遮光板２３及び突起２４が設けられている。プレス板１０に対する回転部材２０の回転に伴い、遮光板２３が遮光板用スリット１３内を移動し、ＰＩ６０の検出部の間を通過すると、図示しない検出回路により絞りが略開放位置であることが検知される。回転部材２０の外周側の三か所には、外方に突き出した突出部２６が設けられている。この突出部２６のカム部材側（Ｚマイナス側）面には、球状突起２６ａが設けられている。
また、回転部材２０には、絞り羽根３０（後述）の支持部３１が挿入される孔２２が、円周方向に沿って等間隔に設けられている。孔２２は、絞り羽根３０の数に対応して９箇所に設けられている。
【００１５】
絞り羽根３０は、カム部材４０（後述）の光路開口４２に対向する略円形の開口を形成する部材である。絞り羽根３０は、薄板状の部材により形成されている。第１実施形態の絞り装置１００は、９枚の絞り羽根３０（図３においては１枚のみ図示）を備えている。後述するように、９枚の絞り羽根３０は、少なくとも一部が互いに重なり合うように円弧状に配置されている。それぞれの絞り羽根３０は、支持部（第２軸）３１、カムフォロア（第１軸）３２及び補助カム溝（第２カム溝）３４を備えている。なお、絞り羽根３０の詳細な構成については、後述する。
【００１６】
カム部材４０は、円環状の部材であり、中央に最大絞りと同径の光路開口（第１開口）４２が形成されている。最大絞りとは、絞り羽根３０により形成される開口が最も大きくなる状態をいう。カム部材４０は、絞り羽根３０のカムフォロア３２が挿入されるメインカム溝（第１カム溝）４１を備えている。メインカム溝４１は、カムフォロア３２を溝形状に沿って案内するカム溝である。カムフォロア３２がメインカム溝４１に沿って移動すると、絞り羽根３０の湾曲部３５（開口３３を形成する部分）は、支持部３１を中心として光軸Ｌ１に接近する方向又は離れる方向に移動する。メインカム溝４１は、カム部材４０の円周に沿って９箇所に形成されている。
【００１７】
カム部材４０の外周の一部には、プレス板側（Ｚプラス側）に円周壁４５が形成されている。そして、円周壁４５から、更にプレス板側（Ｚプラス側）に延びる複数の突部４３が設けられている。突部４３は、絞り装置１００が組み立てられた状態において、プレス板１０の切り欠き１５と嵌め合わされる。
【００１８】
カム部材４０は、絞り羽根３０と対向する位置に対向面４４を有する。絞り装置１００が組み立てられた状態において、対向面４４は、回転部材２０の球状突起２６ａと当接する。カム部材４０の対向面４４に回転部材２０の球状突起２６ａが当接することにより、回転部材２０は、光軸方向へ位置決めされる。また、回転部材２０が回転すると、球状突起２６ａは、対向面４４上を摺動する。そのため、回転部材２０は、光軸方向へ位置を保ったまま、回転することができる。
【００１９】
次に、絞り羽根３０の構成について説明する。
図４は、絞り羽根３０の構成を説明する図である。図４（ａ）は、Ｙプラス側に配置された３枚の絞り羽根３０及びカム部材４０の一部の構成を説明する図である。図４（ｂ）は、補助カム溝３４と支持部３１との隙間及びメインカム溝４１とカムフォロア３２との隙間を説明する図である。なお、図４（ａ）では、３枚の絞り羽根３０を、絞り羽根３０ａ、絞り羽根３０ｂ、絞り羽根３０ｃとして図示している。
図５は、絞り羽根３０の開閉状態を説明する図である。図５（ａ）は、絞り羽根３０を最大絞りとした状態を説明する図である。図５（ｂ）は、絞り羽根３０を最小絞りとした状態を説明する図である。なお、図５では、一部の部材にのみに符号を付している（後述する図７、図８についても同じ）。
【００２０】
図４（ａ）に示すように、絞り羽根３０ａ〜３０ｃは、少なくとも一部が互いに重なり合うように配置されている。絞り羽根３０ａのＺマイナス側には、絞り羽根３０ａの一部と互いに重なり合うように絞り羽根３０ｂが配置されている。絞り羽根３０ｂのＺマイナス側には、絞り羽根３０ｂの一部と互いに重なり合うように絞り羽根３０ｃが配置されている。絞り羽根３０ｃのＺマイナス側には、絞り羽根３０ｃの一部と互いに重なり合うように、隣接する絞り羽根３０（不図示）が配置されている。即ち、９枚の絞り羽根３０のうち、任意の絞り羽根３０を絞り羽根３０ｂとすると、絞り羽根３０ｂは、Ｚプラス側では、隣接する絞り羽根３０ａの一部と互いに重なり合い、Ｚマイナス側では、隣接する絞り羽根３０ｃの一部と互いに重なり合っている。このように、９枚の各絞り羽根３０は、Ｚプラス側及びＺマイナス側において、それぞれ隣接する絞り羽根３０の一部と互いに重なり合うよう円弧状に配置されている。
【００２１】
以下、絞り羽根３０ｂを例として、各絞り羽根３０の構成について説明する。各絞り羽根３０は、すべて絞り羽根３０ｂと同様に構成されている。
絞り羽根３０ｂにおいて、支持部３１のＺプラス側の端部は、回転部材２０の孔２２に挿入されている（図３参照）。即ち、支持部３１は、回転部材２０に保持されており、回転部材２０のカム部材４０に対する相対的な回転に伴い、カム部材４０に対して相対的に移動する。具体的には、支持部３１は、光軸Ｌ１を中心とする同一円周上を移動する。また、支持部３１は、図４（ａ）に示すように、隣接する絞り羽根３０ａの補助カム溝３４に挿入されている。補助カム溝３４は、支持部３１がカム部材４０に対して相対的に移動したときに、絞り羽根３０ｂの移動範囲を規制するカム溝である。本実施形態において、補助カム溝３４は、溝がほぼ光軸Ｌ１方向に沿って長穴となるように形成されている。補助カム溝３４の作用については、後述する。
【００２２】
図４（ｂ）に示すように、補助カム溝３４と支持部３１との隙間ｓ１は、メインカム溝４１とカムフォロア３２との隙間ｓ２よりも大きくなるように設定されている。メインカム溝４１内を移動するカムフォロア３２よりも、補助カム溝３４内を移動する支持部３１の過剰な拘束を抑制するためである。なお、図４（ｂ）では、比較を容易にするため、隙間ｓ１及びｓ２を片側に寄せた状態で図示しているが、隙間ｓ１及びｓ２は、支持部３１及びカムフォロア３２の両側に分かれて形成される場合もある（後述する図６（ｂ）についても同じ）。
【００２３】
また、絞り羽根３０ｂにおいて、カムフォロア３２は、カム部材４０のメインカム溝４１に挿入されている（図３及び図４参照）。絞り羽根３０ｂにおいて、支持部３１が光軸Ｌ１を中心として、カム部材４０に対して相対的に移動（時計回り又は反時計回り）すると、カムフォロア３２は、カム部材４０のメインカム溝４１に沿って移動する。これにより、絞り羽根３０ｂの湾曲部３５は、支持部３１を中心として光軸Ｌ１に接近する方向又は光軸Ｌ１から離れる方向に移動する。
【００２４】
図４（ａ）は、絞り羽根３０が最小絞りとなる位置まで移動した状態を示している。この状態から、支持部３１が光軸Ｌ１を中心として、カム部材４０に対して相対的に時計回りに移動すると、絞り羽根３０ｂのカムフォロア３２は、メインカム溝４１に沿ってカム部材４０の外周側に向けて斜めに移動する。そのため、絞り羽根３０ｂの湾曲部３５は、支持部３１を中心として光軸Ｌ１から離れる方向に移動する。そして、支持部３１が光軸Ｌ１を中心として最大絞りに対応する位置まで移動すると、図５（ａ）に示すように、９枚の絞り羽根３０により形成される開口３３は、最も大きくなる。
【００２５】
また、各絞り羽根３０の湾曲部３５が、図５（ａ）に示す位置まで移動した状態において、回転部材２０（図３参照）が光軸Ｌ１を中心として反時計回りに回転すると、絞り羽根３０ｂのカムフォロア３２は、メインカム溝４１に沿ってカム部材４０の光路開口４２側に向けて斜めに移動する。そのため、各絞り羽根３０の湾曲部３５は、支持部３１を中心として光軸Ｌ１に接近する方向に移動する。そして、支持部３１が光軸Ｌ１を中心として最小絞りに対応する位置まで移動すると、図５（ｂ）に示すように、９枚の絞り羽根３０により形成される開口３３は、最も小さくなる。
【００２６】
回転部材２０の回転方向及び回転量は、制御部７０（図１参照）からステッピングモータ５０に供給されるパルス信号により制御される。制御部７０からステッピングモータ５０に供給されるパルス信号のパルス数等を制御することにより、９枚の絞り羽根３０により形成される開口３３を、所望の大きさに調整することができる。
【００２７】
また、上述したように、各絞り羽根３０の補助カム溝３４には、隣接する他の絞り羽根３０の支持部３１が挿入されている（例えば、絞り羽根３０ｂの補助カム溝３４には、隣接する絞り羽根３０ｃの支持部３１が挿入されている）。そのため、絞り羽根３０は、支持部３１が光軸Ｌ１を中心として、カム部材４０に対して相対的に移動（時計回り又は反時計回り）したときに、カムフォロア３２がメインカム溝４１に沿って相対的に移動するだけでなく、補助カム溝３４が支持部３１に対して相対的に移動する。その際に、絞り羽根３０の湾曲部３５の移動は、補助カム溝３４に挿入された支持部３１により規制されるため、カムフォロア３２がメインカム溝４１に沿って移動するときの移動量以上に光軸Ｌ１の方向に移動することがない。このような移動の規制は、９枚の各絞り羽根３０において、絞り羽根３０の湾曲部３５が支持部３１を中心として光軸Ｌ１から離れる方向に移動する場合及び光軸Ｌ１に接近する方向に移動する場合のいずれにおいても作用する。
【００２８】
以上説明したように、本実施形態の絞り装置１００は、９枚の絞り羽根３０のそれぞれが互いに隣接する他の絞り羽根３０の移動を規制するように構成されている。これによれば、絞り装置１００を構成する各部品（カム溝、孔等）の製造誤差、作動に必要なガタ等があっても、特定の絞り羽根３０の湾曲部３５が、他の絞り羽根３０の湾曲部３５よりも光軸Ｌ１方向に飛び出したり、或いは光軸Ｌ１方向から引っ込んだりする等の不具合を抑制することができる。そのため、本実施形態の絞り装置１００及び絞り装置１００を備えたレンズ鏡筒２００は、どの絞り値においても、所望の開口形状を得ることができる。
【００２９】
また、本実施形態の絞り装置１００は、９枚の絞り羽根３０により形成される開口３３を、絞り値に応じた絞り径に調整することができる。そのため、レンズ鏡筒２００を備えたカメラ３００（図１参照）は、撮像部３０２において、より正確な露出で画像を撮像することができる。
また、本実施形態の絞り装置１００において、支持部３１は、カム部材４０に対して相対的に移動して絞り羽根３０の湾曲部３５を移動させる機能だけでなく、絞り羽根３０の湾曲部３５が、カムフォロア３２がメインカム溝４１に沿って移動するときの移動量以上に光軸Ｌ１の方向に移動することを規制する機能を有する。そのため、本実施形態の絞り装置１００は、部品点数を増やすことなしに、所望の開口形状を得ることができる。
【００３０】
また、図４（ｂ）に示すように、本実施形態の絞り装置１００において、補助カム溝３４と支持部３１との隙間ｓ１は、メインカム溝４１とカムフォロア３２との隙間ｓ２よりも大きくなるように設定されている。これによれば、メインカム溝４１内を移動するカムフォロア３２よりも、補助カム溝３４内を移動する支持部３１の過剰な拘束が抑制されるため、各絞り羽根３０をより円滑に動作させることができる。
【００３１】
（第２実施形態）
次に、第２実施形態の絞り装置１００Ａについて説明する。
第２実施形態の絞り装置１００Ａは、絞り羽根の構成が第１実施形態と異なる。その他の本実施形態における全体的な構成は、第１実施形態と同じであり、第１実施形態と同じ構成部材には同一符号を付して、説明は省略する。また、絞り装置１００Ａの全体的な構成の図示も省略する。
【００３２】
図６は、第２実施形態における絞り羽根１３０の構成を説明する図である。図６（ａ）は、Ｙプラス側に配置された３枚の絞り羽根１３０及びカム部材４０の一部の構成を説明する図である。図６（ｂ）は、補助カム溝３４と規制部３６との隙間及びメインカム溝４１とカムフォロア３２との隙間を説明する図である。
図６（ａ）では、３枚の絞り羽根１３０を、絞り羽根１３０ａ、絞り羽根１３０ｂ、絞り羽根１３０ｃとして図示している。また、図示していないが、第２実施形態の絞り装置１００Ａも、第１実施形態の絞り装置１００と同様に、９枚の絞り羽根１３０を備えており、少なくとも一部が互いに重なり合うように円弧状に配置されている。
【００３３】
以下、絞り羽根１３０ｂを例として、各絞り羽根１３０の構成について説明する。絞り羽根１３０ｂは、図６（ａ）に示すように、支持部３１、カムフォロア３２、補助カム溝３４及び規制部３６（第３軸）を備えている。このうち、支持部３１及びカムフォロア３２の構成は、第１実施形態と同じであるため、説明を省略する。なお、第２実施形態において、支持部３１は、隣接する絞り羽根１３０と干渉しない位置に配置されている。
絞り羽根１３０ｂは、補助カム溝３４に、隣接する絞り羽根１３０ｃに設けられた規制部３６が挿入される点が第１実施形態と相違する。本実施形態において、絞り羽根１３０ｂの支持部３１（Ｚプラス側の端部）は、回転部材２０の孔２２に挿入されており、隣接する絞り羽根１３０ａの補助カム溝３４には挿入されていない。
【００３４】
絞り羽根１３０ｂにおいて、補助カム溝３４の位置は、第１実施形態と異なり、隣接する絞り羽根１３０ｃの支持部３１と干渉しない位置に設けられている。本実施形態においても、補助カム溝３４は、溝がほぼ光軸Ｌ１方向に沿って長穴となるように形成されている。
また、絞り羽根１３０ｂは、Ｚプラス側に規制部３６が設けられている。規制部３６は、支持部３１がカム部材４０に対して相対的に移動したときに、絞り羽根１３０ａの移動範囲を規制するための軸部材である。図６（ｂ）に示すように、補助カム溝３４と規制部３６との隙間ｓ１は、メインカム溝４１とカムフォロア３２との隙間ｓ２よりも大きくなるように設定されている。
【００３５】
上述したように、本実施形態において、各絞り羽根１３０の補助カム溝３４には、隣接する他の絞り羽根１３０の規制部３６が挿入されている（例えば、絞り羽根１３０ｂの補助カム溝３４には、隣接する絞り羽根１３０ｃの規制部３６が挿入されている）。そのため、絞り羽根１３０は、支持部３１が光軸Ｌ１を中心として、カム部材４０に対して相対的に移動（時計回り又は反時計回り）したときに、カムフォロア３２がメインカム溝４１に沿って相対的に移動するだけでなく、補助カム溝３４が規制部３６に対して相対的に移動する。その際に、絞り羽根３０の湾曲部３５の移動は、補助カム溝３４に挿入された規制部３６により規制される。そのため、絞り羽根３０の湾曲部３５は、カムフォロア３２がメインカム溝４１に沿って移動するときの移動量以上に光軸Ｌ１の方向に移動することがない。このような移動の規制は、９枚の各絞り羽根１３０において、絞り羽根１３０の湾曲部３５が支持部３１を中心として光軸Ｌ１から離れる方向に移動する場合及び光軸Ｌ１に接近する方向に移動する場合のいずれにおいても作用する。
【００３６】
したがって、第２実施形態の絞り装置１００Ａ及び絞り装置１００Ａを備えたレンズ鏡筒２００は、第１実施形態の絞り装置１００と同様に、どの絞り値においても、所望の開口形状を得ることができる。
また、本実施形態の絞り装置１００Ａにおいて、補助カム溝３４を設ける位置は、支持部３１が挿入可能な位置に制約されないため、設計の自由度を向上させることができる。
【００３７】
（変形形態）
以上説明した実施形態に限定されることなく、以下に示すような種々の変形や変更が可能であり、それらも本発明の範囲内である。なお、以下の説明では、第１実施形態及び第２実施形態を総称して「本実施形態」という。そのため、例えば、絞り装置１００は、絞り装置１００Ａであってもよい。
【００３８】
（１）本実施形態では、絞り装置１００の絞り羽根３０を９枚とした例について説明した。これに限らず、絞り羽根の枚数は、８枚以下でもよいし、１０枚以上でもよい。以下、第１実施形態の構成において、絞り羽根の枚数を５枚とした例及び１２枚とした例についてそれぞれ説明する。
図７は、第１変形形態における絞り羽根２３０の開閉状態を説明する図である。図７（ａ）は、絞り羽根２３０を最大絞りとした状態を説明する図である。図７（ｂ）は、絞り羽根２３０を最小絞りとした状態を説明する図である。
第１変形形態では、絞り装置１００Ｂの絞り羽根２３０を５枚とした点が第１実施形態と相違する。その他の本実施形態における全体的な構成は、第１実施形態と同じであり、絞り羽根２３０を除いて、第１実施形態と同じ構成部材には同一符号を付して、説明は省略する。また、絞り装置１００Ｂの全体的な構成の図示も省略する。
【００３９】
図７に示すように、本変形形態の絞り装置１００Ｂにおいて、５枚の絞り羽根２３０は、少なくとも一部が互いに重なり合うように円弧状に配置されている。それぞれの絞り羽根２３０は、支持部３１、カムフォロア３２及び補助カム溝３４を備えている。本変形形態において、各絞り羽根２３０の支持部３１は、隣接する絞り羽根２３０の補助カム溝３４に挿入されている。
【００４０】
各絞り羽根２３０の湾曲部３５が、図７（ａ）に示す位置まで移動した状態において、回転部材２０（図３参照）が光軸Ｌ１を中心として反時計回りに回転すると、絞り羽根２３０のカムフォロア３２は、メインカム溝４１（図３参照）に沿って光路開口４２側に向けて斜めに移動する。そのため、絞り羽根２３０の湾曲部３５は、支持部３１を中心として光軸Ｌ１に接近する方向に移動する。そして、支持部３１が光軸Ｌ１を中心として最小絞りに対応する位置まで移動すると、図７（ｂ）に示すように、５枚の絞り羽根２３０により形成される開口３３は、最も小さくなる。
【００４１】
また、各絞り羽根２３０の湾曲部３５が最小絞りとなる位置まで移動した状態において、回転部材２０が光軸Ｌ１を中心として時計回りに回転すると、絞り羽根２３０のカムフォロア３２は、メインカム溝４１に沿ってカム部材４０の外周側に向けて斜めに移動する。そのため、絞り羽根２３０の湾曲部３５は、支持部３１を中心として光軸Ｌ１から離れる方向に移動する。そして、支持部３１が光軸Ｌ１を中心として最大絞りに対応する位置まで移動すると、図７（ａ）に示すように、５枚の絞り羽根２３０により形成される開口３３は、最も大きくなる。
【００４２】
図８は、第２変形形態における絞り羽根３３０の開閉状態を説明する図である。図８（ａ）は、絞り羽根３３０を最大絞りとした状態を説明する図である。図８（ｂ）は、絞り羽根３３０を最小絞りとした状態を説明する図である。
第２変形形態では、絞り装置１００Ｃの絞り羽根３３０を１２枚とした点が第１実施形態と相違する。その他の本実施形態における全体的な構成は、第１実施形態と同じであり、絞り羽根３３０を除いて、第１実施形態と同じ構成部材には同一符号を付して、説明は省略する。また、絞り装置１００Ｃの全体的な構成の図示も省略する。
【００４３】
図８に示すように、本変形形態の絞り装置１００Ｃにおいて、１２枚の絞り羽根３３０は、少なくとも一部が互いに重なり合うように円弧状に配置されている。それぞれの絞り羽根３３０は、支持部３１、カムフォロア３２及び補助カム溝３４を備えている。本変形形態において、各絞り羽根３３０の支持部３１は、隣接する絞り羽根３３０の補助カム溝３４に挿入されている。
【００４４】
各絞り羽根３３０の湾曲部３５が、図８（ａ）に示す位置まで移動した状態において、回転部材２０（図３参照）が光軸Ｌ１を中心として反時計回りに回転すると、絞り羽根３３０のカムフォロア３２は、メインカム溝４１（図３参照）に沿って移動するため、絞り羽根３３０の湾曲部３５は、支持部３１を中心として光軸Ｌ１に接近する方向に移動する。そして、支持部３１が光軸Ｌ１を中心として最小絞りに対応する位置まで移動すると、図８（ｂ）に示すように、１２枚の絞り羽根３３０により形成される開口３３は、最も小さくなる。
【００４５】
また、各絞り羽根３３０の湾曲部３５が最小絞りとなる位置まで移動した状態において、回転部材２０が光軸Ｌ１を中心として時計回りに回転すると、絞り羽根３３０のカムフォロア３２は、メインカム溝４１に沿ってカム部材４０の外周側に向けて斜めに移動する。そのため、絞り羽根３３０の湾曲部３５は、支持部３１を中心として光軸Ｌ１から離れる方向に移動する。そして、支持部３１が光軸Ｌ１を中心として最大絞りに対応する位置まで移動すると、図８（ａ）に示すように、１２枚の絞り羽根３３０により形成される開口３３は、最も大きくなる。
【００４６】
上述した各変形形態において、補助カム溝３４が支持部３１に対して相対的に移動する際に、絞り羽根２３０（３３０）の湾曲部３５の移動は、補助カム溝３４に挿入された支持部３１により規制される。そのため、絞り羽根２３０（３３０）の湾曲部３５は、カムフォロア３２がメインカム溝４１に沿って移動するときの移動量以上に光軸Ｌ１の方向に移動することがない。したがって、上述した各変形形態の絞り装置１００Ｂ（１００Ｃ）及びこれら絞り装置を備えたレンズ鏡筒は、第１実施形態と同様に、どの絞り値においても、所望の開口形状を得ることができる。
【００４７】
なお、第１及び第２変形形態では、第１実施形態と同じく、支持部３１が補助カム溝３４に挿入される構成について説明したが、これに限定されない。第１及び第２変形形態において、第２実施形態と同じく、規制部３６が補助カム溝３４に挿入される構成を適用してもよい。
【００４８】
（２）本実施形態の絞り装置１００では、カム部材４０に対して、回転部材２０が回転する例について説明した。これに限らず、回転部材２０に相当する部材が固定され、カム部材４０が回転する構成であってもよい。その場合、例えば、回転部材２０に相当する部材にメインカム溝（４１）が形成され、カム部材４０に孔（２２）が形成される（絞り羽根３０における支持部３１、カムフォロア３２の配置も反対とする）。即ち、回転部材２０とカム部材４０は、互いに相対的に回転可能な構成であればよい。
【００４９】
（３）第１実施形態の絞り装置１００に、第２実施形態の絞り装置１００Ａの構成を適用してもよい。例えば、１つの絞り羽根３０に２つの補助カム溝３４を設け、第１実施形態に対応する一方の補助カム溝３４には、隣接する絞り羽根３０の支持部３１を挿入し、第２実施形態に対応する他方の補助カム溝３４には、隣接する絞り羽根３０に設けた規制部３６を挿入する構成としてもよい。また、円弧状に配置された複数の絞り羽根３０において、１つおきに第１実施形態の構成と第２実施形態の構成を交互に適用してもよい。
【００５０】
（４）本実施形態では、レンズ鏡筒２００を備えるカメラ３００を、レンズ交換可能なデジタル一眼レフカメラとして説明した。これに限らず、レンズ交換可能なミラーレス一眼カメラ、レンズ一体式のデジタルカメラ、ビデオカメラ、携帯端末等に適用することもできる。
なお、実施形態及び変形形態は、適宜組み合わせて用いることもできるが、詳細な説明は省略する。また、本発明は、上記実施形態によって限定されることはない。
【符号の説明】
【００５１】
２０：回転部材、２１：円筒部、３０，１３０，２３０，３３０：絞り羽根、３１：支持部、３２：カムフォロア、３３：開口、３４：補助カム溝、３６：規制部、４０：カム部材、４１：メインカム溝、４２：光路開口、２００：レンズ鏡筒、３００：カメラ
【図１】
2017167305.tif 000003
【図２】
2017167305.tif 000004
【図３】
2017167305.tif 000005
【図４】
2017167305.tif 000006
【図５】
2017167305.tif 000007
【図６】
2017167305.tif 000008
【図７】
2017167305.tif 000009
【図８】
2017167305.tif 000010